(57)【要約】  【課題】  夜間等の認識しにくい状況等でも明確な表示ができるとともに、植生基盤である芝土壌やユニット芝等から離脱しにくい植生基盤用マーカーを提供すること。  【解決手段】  植生基盤用マーカー１は、上方から植生基盤１４に突き刺して用いられ、光を利用してその周囲との識別を容易とする標識機能を備えた上板部３と、この上板部３の外周位置より下方に向け連設され植生基盤１４に挿入される複数の脚４，４，４，４とを有し、前記脚４は、その内側面Ａが下方にいくにつれ外側に湾曲し、それによって植生基盤１４への挿入後において外方に弾性変形しうる縦長の舌片形状部５を有し、さらに、前記舌片形状部５は、先細り形状の先端部分５ａの外面に抜け止め用の係止部６を有する一方、前記上板部３の裏面ｑから下方に向かって延び、植生基盤１４への挿入後において外方に弾性変形している前記舌片形状部５とで植生基盤１４を挟持しうる垂下板７を前記舌片形状部５の内側に設けてある。【選択図】        図１
2013198446.tif 000002
【特許請求の範囲】
【請求項１】
上方から植生基盤に突き刺して用いられ、
光を利用してその周囲との識別を容易とする標識機能を備えた上板部と、この上板部の外周位置より下方に向け連設され植生基盤に挿入される複数の脚とを有し、
前記脚は、その内側面が下方にいくにつれ外側に湾曲し、それによって植生基盤への挿入後において外方に弾性変形しうる縦長の舌片形状部を有し、
さらに、
前記舌片形状部は、先細り形状の先端部分の外面に抜け止め用の係止部を有する一方、  前記上板部の裏面から下方に向かって延び、植生基盤への挿入後において外方に弾性変形している前記舌片形状部とで植生基盤を挟持しうる垂下板を前記舌片形状部の内側に設けてあることを特徴とする植生基盤用マーカー。
【請求項２】
複数のモジュール状植生基盤を連結する連結機能と、前記抜け止め用の係止部の位置が判別可能な指標とを有する請求項１に記載の植生基盤用マーカー。
【請求項３】
前記舌片形状部は、横断面において外側に凸の外側面を有し、さらに、前記内側面は、横断面において内側に凹の面を有する一方、前記垂下板は先細り形状となるよう、テーパ面を舌片形状部の前記内側面に対向するよう配置された先端外側面に有する請求項１または２に記載の植生基盤用マーカー。  
【請求項４】
前記上板部は、平面視円形であり、かつ前記上板部の上面の周囲に環状のアール面を有する一方、前記上面には図形、記号または文字のいずれか一以上が施され、また、前記舌片形状部は前記上板部の外周に沿って等間隔に４つ形成されている請求項２または３に記載の植生基盤用マーカー。
【請求項５】
前記植生基盤が、植物育成マットに芝を植栽してなる複数のユニット芝であり、これらユニット芝を敷設して形成される駐車場において区画線を表示するために用いられる請求項１〜４のいずれか１項に記載の植生基盤用マーカー。
【発明の詳細な説明】
【技術分野】
【０００１】
この発明は、例えば複数のユニット芝（モジュール状植生基盤の一例）を敷設して形成される駐車場において区画線を表示するために用いられる植生基盤用マーカーに関するものである。
【背景技術】
【０００２】
例えば芝で覆われた、いわゆる緑化駐車場の区画を表示するためのマーカーとしては、ブロックや樹脂製の表示器具が用いられるのが一般的である。
【先行技術文献】
【特許文献】
【０００３】
【特許文献１】特開２０１１−７４５６５号公報
【発明の概要】
【発明が解決しようとする課題】
【０００４】
しかし夜間や霧等が発生した場合、ブロックや樹脂製の表示器具は認識しずらく、そのため駐車場に別途照明器具等の補助部材が必要となる。また、前記表示器具は、上板部と、この上板部の外周位置より下方に向け連設された複数の脚とを有しており、植生基盤である例えば芝土壌や、植物育成マットに芝を植栽してなる複数のユニット芝へ前記脚を挿入することにより前記表示器具は固定設置される。しかし、固定設置後において、芝土壌やユニット芝からの前記表示器具の離脱が問題となっている。すなわち、前記脚を挿入するだけであるので、芝土壌やユニット芝への挿入後において芝土壌やユニット芝から前記表示器具が外れやすいという課題がある。
【０００５】
この発明は、夜間等の認識しにくい状況等でも明確な表示ができるとともに、植生基盤である芝土壌やユニット芝等から離脱しにくい植生基盤用マーカーを提供することである。
【課題を解決するための手段】
【０００６】
上記目的を達成するために、この発明は、上方から植生基盤に突き刺して用いられ、
光を利用してその周囲との識別を容易とする標識機能を備えた上板部と、この上板部の外周位置より下方に向け連設され植生基盤に挿入される複数の脚とを有し、
前記脚は、その内側面が下方にいくにつれ外側に湾曲し、それによって植生基盤への挿入後において外方に弾性変形しうる縦長の舌片形状部を有し、
さらに、
前記舌片形状部は、先細り形状の先端部分の外面に抜け止め用の係止部を有する一方、  前記上板部の裏面から下方に向かって延び、植生基盤への挿入後において外方に弾性変形している前記舌片形状部とで植生基盤を挟持しうる垂下板を前記舌片形状部の内側に設けてあることを特徴とする植生基盤用マーカー（請求項１）を提供する。
【０００７】
そして、この発明では、複数のモジュール状植生基盤を連結する連結機能と、前記抜け止め用の係止部の位置が判別可能な指標とを有するのが好ましく（請求項２）、また、前記舌片形状部は、横断面において外側に凸の外側面を有し、さらに、前記内側面は、横断面において内側に凹の面を有する一方、前記垂下板は先細り形状となるよう、テーパ面を舌片形状部の前記内側面に対向するよう配置された先端外側面に有するのが好ましく（請求項３）、また、前記上板部は、平面視円形であり、かつ前記上板部の上面の周囲に環状のアール面を有する一方、前記上面には図形、記号または文字のいずれか一以上が施され、また、前記舌片形状部は前記上板部の外周に沿って等間隔に４つ形成されているのが好ましい（請求項４）。そして、この発明に係る植生基盤用マーカーは、前記植生基盤が、例えば、植物育成マットに芝を植栽してなる複数のユニット芝であり、これらユニット芝を敷設して形成される駐車場において区画線を表示するために用いられる（請求項５）。
【０００８】
この発明における植生基盤とは、土などに芝や、芝以外のセダム、玉竜といった植物を植栽したものや、植物種子を撒いてある土を含む。また、この発明において、光を利用してその周囲との識別を容易とする標識機能を有するものとしては、例えば、特開２０１１−２３１５６９号公報、特開２００４−３３３６６８号公報などに示される各種の蓄光体、特開２０１１−９６５９１号公報などに示される各種の発光体、特開平９−３２８７２８号公報などに示される各種の光反射体等が用いられる。  
【発明の効果】
【０００９】
この発明では、以下の効果を奏する。
（１）上板部が、光を利用してその周囲との識別を容易とする標識機能を備えていることから、芝生等の植生基盤を用いた緑化において表示のため上方から前記植生基盤に突き刺して用いられる植生基盤用マーカーとして、高い識別が可能となり、夜間等の認識しにくい状況等でも、目に入射する光によって明確な表示ができ、識別認識の度合いが高くなる。
（２）舌片形状部は、先細り形状の先端部分の外面に抜け止め用の係止部を有するとともに、上板部の裏面から下方に向かって延び、前記植生基盤への挿入後において外方に弾性変形している前記舌片形状部とで前記植生基盤を挟持しうる垂下板を舌片形状部の内側に設けてあり、脚は、前記植生基盤への挿入後において前記植生基盤から外れるのを防止しうる機能を有することから、植生基盤用マーカーが前記植生基盤から離脱しにくい。すなわち、前記植生基盤への挿入後において植生基盤用マーカーが前記植生基盤から外れるのを防止することができる。
（３）上板部が、抜け止め用の係止部の位置が判別可能な指標を有している場合、上板部に抜け止め用の係止部の位置がわかるようにした表示を持つことから、前記植生基盤への挿入作業を行う場合に作業者は抜け止め用の係止部の位置が容易にわかり、誤認無く植生基盤用マーカーの設置作業ができる。
【図面の簡単な説明】
【００１０】
【図１】この発明の一実施形態を示す斜め下方側から見た斜視図である。
【図２】上記実施形態を示す斜め上方側から見た斜視図である。
【図３】上記実施形態を示す上面図である。
【図４】上記実施形態を示す下面図である。
【図５】上記実施形態を示す正面図である。
【図６】上記実施形態において、図５に対応する図であって、芝生への挿入後における状態を示す図である。
【図７】上記実施形態の使用状態を示す図である。
【図８】上記実施形態で隣接するユニット芝の固定状態を示す構成説明図である。
【発明を実施するための形態】
【００１１】
以下、この発明の実施形態について図面に基づいて説明する。図１〜８は、光を利用してその周囲との識別を容易とする標識機能を有する、例えば、蓄光体または発光体または光反射体を備える一方、上方から複数のモジュール状植生基盤に突き刺して用いられるこの発明の一実施形態を示す。図１〜８において、植生基盤用マーカー１は、上方から、複数のモジュール状植生基盤である芝生（この実施形態では後述するユニット芝１４である）に突き刺して用いられ、芝生と識別可能な標識機能を備えた上板部３と、この上板部３の外周位置より下方に向け連設された芝生に挿入される複数の脚４，４，４，４（この実施形態では４つの脚４を用いている）とを有している。そして、植生基盤用マーカー１は合成樹脂製である。前記各脚４は、図１，５に示すように、その内側面Ａが下方にいくにつれ外側に湾曲し、それによって芝生への挿入後において外方に弾性変形しうる縦長の舌片形状部５を有する。図６において、実線で示す植生基盤用マーカー１の舌片形状部５は、芝生への挿入後において外方に弾性変形している状態にあり、二点鎖線で示す舌片形状部５は芝生への挿入前の状態を示している。さらに、この舌片形状部５は、先細り形状の先端部分５ａ（図５参照）の外面に斜め上側に突出する抜け止め用の係止部６を有する。また、前記舌片形状部５の内側には、前記上板部３の裏面（下面）ｑ（図１，４参照）から下方に向かって延び、脚４，４，４，４を介しての植生基盤用マーカー１の芝生への挿入後において外方に弾性変形している前記舌片形状部５とで芝生を挟持しうる変形しにくい剛性の垂下板７が設けられている。
【００１２】
前記上板部３は、その上面に蓄光体２または発光体または光反射体を備えている。この実施形態では前記上板部３は蓄光体２を備えており、太陽光を蓄えて自光による明確な識別が可能となる。また、前記上板部３は、前記抜け止め用の係止部６の位置が判別可能な四つの指標９，９，９，９を有する。また、図３，４に示すように、前記舌片形状部５は、横断面において外側に凸の外側面Ｂを有し、さらに、前記内側面Ａは、横断面において内側に凹の面を有する。すなわち、舌片形状部５の前記内側面Ａは、横断面において内側に凹の状態であり、下方にいくにつれ外側に湾曲するよう形成されている。また、前記舌片形状部５の前記内側面Ａの周方向における中央位置には補強用のリブＬが上下の方向に形成されている。上述したように、舌片形状部５の前記外側面Ｂは横断面において外側に凸に形成されており、前記外側面Ｂが外方に最も突出している位置Ｐ（図３において黒のドットで示す）は補強用のリブＬが形成されている位置に対応している。また、前記垂下板７は先細り形状となるよう、テーパ面ｔを舌片形状部５の前記内側面Ａに対向するよう配置された先端外面Ｔに有する。そして、この実施形態では、前記上板部３は平面視円形であり、周囲に環状のアール面ｕを有する。また、前記上板部３は前記環状のアール面ｕによって形成される平面視円形の凹所３ａを上面の中央に有する。また、前記蓄光体２または光反射体は模様（図示せず）や絵（図示せず）が施された上面２ａを有する。前記舌片形状部５は、前記上板部３の外周に沿って等間隔に４つ形成されている。前記指標９，９，９，９は、凹所３ａの外周に沿って等間隔に４つ形成されている。そして、蓄光体２は、ディスク状であり、これは前記凹所３ａに挿入されるが、その際、爪などの係止片およびこれを係止する係止孔、係止溝といった蓄光体２および凹所３ａに適宜形成された公知の係止手段を用いて蓄光体２が前記凹所３ａから外れないようになっている。この実施形態では、図１，４に示すように、上板部３は、周方向に沿って等間隔に形成された４つの係止孔３ｂ，３ｂ，３ｂ，３ｂを前記凹所３ａの下面（上板部３の裏面ｑ）に有する一方、前記蓄光体２は、前記各係止孔３ｂに係止可能な係止爪２ｂを下面に有する。また、この実施形態では、植生基盤用マーカー１は、例えば図７，８に示すように、培土１１と植物育成マット１２に芝１３を植栽してなる複数のユニット芝１４を敷設して形成される駐車場２０（図７参照）において区画線を表示するために用いられる。駐車場２０が身体障害者専用のものを含む場合には、その区画線形成のために用いる植生基盤用マーカー１の蓄光体２に施される前記模様や絵としては、例えば車椅子を図示したものが採用される。
【００１３】
そして、例えば複数のユニット芝１４を敷設して駐車場２０を施工するにあたり、この実施形態では、図７に示すように、下地材Ｅの上面において適宜枚数のユニット芝１４を縦横に敷きつめながら二枚の縦横方向に隣接するユニット芝１４，１４の境界線Ｒおよび四枚のユニット芝１４，１４，１４，１４の交点Ｒ’をそれぞれ跨ぐ状態で二枚のユニット芝１４，１４同士および四枚のユニット芝１４，１４，１４，１４同士をジョイントする作業が施される。例えば境界線Ｒで隣接する二枚のユニット芝１４，１４同士を一個の植生基盤用マーカー１でジョイントする場合には、植生基盤用マーカー１の４本の脚４，４，４，４のうち隣接する２本の脚４，４を一方のユニット芝１４に突き刺すとともに、残りの２本の脚４，４を隣接する他方のユニット芝１４に突き刺し、これら二枚のユニット芝１４，１４同士を固定する作業が施される。また、四枚のユニット芝１４，１４，１４，１４を交点Ｒ’において一個の植生基盤用マーカー１でジョイントする場合には、植生基盤用マーカー１の４本の脚４，４，４，４をそれぞれ一本ずつ交点Ｒ’まわりのユニット芝１４，１４，１４，１４に突き刺し、これら四枚のユニット芝１４，１４，１４，１４同士を固定する作業が施される。このような固定作業を施すことにより取れ難い所定長さの区間線を作成することができる。図７において挿入後の植生基盤芝生用マーカー１を便宜上、黒のドットで示している。さらに、上板部３の径を例えば７０ｍｍ、上板部３の前記凹所３ａに挿入された蓄光体２の上面２ａから脚４の下端までの長さを例えば７０ｍｍ、ユニット芝１４の縦・横の長さを例えば５００ｍｍ・５００ｍｍとし、ユニット芝１４の厚み（植物育成マット１２の厚み）を例えば８０ｍｍとした場合を図７に示してある。なお、図７において、両矢印で示すＧは、車両が出入りする方向を示す。
【００１４】
而して、植生基盤用マーカー１の上板部３の上面（凹所３ａの外周面Ｓ）と蓄光体２の上面２ａがユニット芝１４の表面１４ａ（図６，８参照）と面一になるまで植生基盤用マーカー１をユニット芝１４に挿入していくと、脚４の舌片形状部５が上述したその特異な構成により例えば図６に示すように点線で示すような力Ｆを外側に受けながら弾性的に外側に広がり、そのＦと反対方向の力Ｆ’による反力作用によって、舌片形状部５とでユニット芝１４の前記境界線Ｒおよび前記交点Ｒ’における植物育成マット１２の部分１２ａ（図８参照）を、変形しにくい剛性の垂下板７と舌片形状部５とで強固に挟持することができるだけではなく、この強固な挟持と、斜め上側に突出する抜け止め用の係止部６との相乗効果により、植生基盤用マーカー１のユニット芝１４，１４からの離脱が発生しにくくなる。すなわち、ユニット芝１４，１４への挿入後において植生基盤用マーカー１がユニット芝１４，１４から外れるのを防止することができる。  
【００１５】
なお、この発明では、モジュール状植生基盤であるユニット芝１４の下地材Ｅとして、特開２０１１−１５２０８６号公報に記載されているような多数の凸部を表面に備えるベースパネルを用いてもよく、また、このベースパネルとベースパネルが載置されるアスファルト等の人口地盤等を組み合わせて用いてもよい。
【符号の説明】
【００１６】
１          植生基盤用マーカー
３          上板部
４          脚
５          舌片形状部
５ａ        先細り形状の先端部分
６          抜け止め用の係止部
７          垂下板
１４        ユニット芝（モジュール状植生基盤）
Ａ          舌片形状部の内側面
Ｂ          舌片形状部の外側面
ｑ          上板部の裏面
【図１】
2013198446.tif 000003
【図２】
2013198446.tif 000004
【図３】
2013198446.tif 000005
【図４】
2013198446.tif 000006
【図５】
2013198446.tif 000007
【図６】
2013198446.tif 000008
【図７】
2013198446.tif 000009
【図８】
2013198446.tif 000010